(57)【要約】【課題】  低コストで簡便な方法により、食品工場等における作業者からの毛髪等の落下を効果的に防止できる毛髪落下防止用シートを提供する。【解決手段】  この毛髪落下防止用シート１０ａは帯電性不織布からなり、シート本体１１ａ、作業者の頭部を挿入するための開口部１２、開口部１２からシートの周縁に至る切り離し部１３が形成されており、この切り離し部１３を着脱可能とする連結手段として、面ファスナー１４、１５が設けられている。【選択図】  図１
2005082946.tif 000002
【特許請求の範囲】
【請求項１】
帯電性不織布からなるシートであって、該シートに作業者の頭部を挿入するための開口部が形成されていることを特徴とする毛髪落下防止用シート。
【請求項２】
前記開口部から前記シートの周縁に至る切り離し部が形成されており、この切り離し部を着脱可能とする連結手段が設けられている請求項１記載の毛髪落下防止用シート。
【請求項３】
前記連結手段が面ファスナーである請求項２記載の毛髪落下防止用シート。
【請求項４】
食品工場で使用される請求項１〜３に記載の毛髪落下防止用シート。
【発明の詳細な説明】
【技術分野】
【０００１】
本発明は、例えば、食品工場における作業者からの毛髪等の落下を防止するためのシートに関する。
【背景技術】
【０００２】
食品工場等においては、衛生性の点から食品への異物等の混入を防ぐ必要がある。このため、帽子、白衣等の着衣やクリーンルームの使用等が必要に応じて行われている。なかでも、人体から発生する毛髪は作業者から製品中に混入し易く、毛髪は消費者による混入発見も容易であることから、弁当、惣菜等の食品工場においては、特に充分な毛髪混入の防止対策が必要とされている。
【０００３】
毛髪落下の防止対策としては、着帽が最も簡便であり広く行われている。しかし、着帽のみでは完全に毛髪の落下を防止することが困難である。また、頭部から全身を覆う白衣や防塵服を着用することも行われているが、簡便でなく、作業者にとっても不快で負担となる。また、このような白衣においてもやはり顔面部分は開口しているため、この開口部からの毛髪落下の恐れがある。
【０００４】
一方、塵や埃を吸着する繊維として、帯電性繊維が知られている。帯電性繊維はエレクトレット化繊維とも呼ばれ、例えば、ポリオレフィン等の繊維に高電圧を加えることにより永久帯電させるものであり、この帯電によって塵や埃を吸着させるものである。
【０００５】
この帯電性繊維からなる不織布を用い、集塵等のフィルター効果を向上させることが検討されており、例えば、下記の特許文献１には、芯鞘構造からなる複合繊維であって、鞘がポリブテン−１からなる繊維を用いた帯電性不織布が開示されていおり、これをエアーフィルターやワイパーとして用いることが開示されている。
【０００６】
また、下記の特許文献２には、比誘電率と導電率の比が異なる２種類以上の素材よりなる繊維が相互に混合されてなるエレクトレット混繊不織布が開示されており、これをエアーフィルターやマスクとして使用することが開示されている。
【０００７】
更に、下記の特許文献３には、エレクトレット化されたメルトブロー又はスパンボンド不織布からなる濾過層と、スパンボンド不織布又はネットからなる補強層とを有し、無塵衣との脱着手段を備えた無塵衣用交換布が開示されている。
【特許文献１】特開平５−１７９５１１号公報
【特許文献２】特開平１０−０１８１５５号公報
【特許文献３】特開平８−１９９４６６号公報
【発明の開示】
【発明が解決しようとする課題】
【０００８】
しかし、上記の従来技術に開示されている帯電性不織布は、いずれもクリーンルーム等における集塵、防塵等のフィルター機能の強化として用いられている。したがって、食品工場等における作業者からの毛髪等の落下防止、すなわち、落下物を直接捕捉する点については開示されていない。
【０００９】
したがって、本発明の目的は、低コストで簡便な方法により、食品工場等における作業者からの毛髪等の落下を効果的に防止できる毛髪落下防止用シートを提供することを目的とする。
【課題を解決するための手段】
【００１０】
すなわち、本発明の毛髪落下防止用シートは、帯電性不織布からなるシートであって、該シートに作業者の頭部を挿入するための開口部が形成されていることを特徴とする。
【００１１】
本発明の毛髪落下防止用シートによれば、シートには作業者の頭部を挿入するための開口部が形成されているので、作業者の肩部や胸部にかけてシートが装着される。そして、シートが帯電性不織布からなるので、落下した毛髪等の異物をこのシートの帯電によって確実に捕捉でき、製品への異物の混入を防止できる。また、シートに開口部を形成した単純な構成であるので着脱も容易であり、低コストで生産できる。
【００１２】
本発明の好ましい態様においては、前記開口部から前記シートの周縁に至る切り離し部が形成されており、この切り離し部を着脱可能とする連結手段が設けられている。この場合、前記連結手段が面ファスナーであることがより好ましい。この態様によれば、頭部を挿入する必要がないので装脱着が更に容易となる。
【００１３】
本発明のより好ましい態様においては、上記の毛髪落下防止用シートが食品工場で使用される。これによれば、例えば、弁当や惣菜等の食品工場においては、特に充分な毛髪混入の防止対策が必要とされているので、本発明の毛髪落下防止用シートが特に好適に使用できる。
【発明の効果】
【００１４】
本発明によれば、低コストで簡便な方法により、食品工場等における作業者からの毛髪等の落下を効果的に防止できる。
【発明を実施するための最良の形態】
【００１５】
以下、本発明の毛髪落下防止用シートについて図面を用いて説明する。図１には本発明の毛髪落下防止用シートの一実施形態が示されている。図１（ａ）はシート本体が円形、図１（ｂ）はシート本体が四角形の場合の平面図である。
【００１６】
図１（ａ）、（ｂ）に示すように、この毛髪落下防止用シート１０ａ（１０ｂ）は、シート本体１１ａ（１１ｂ）、作業者の頭部を挿入するための開口部１２、開口部１２からシートの周縁に至る切り離し部１３が形成されており、この切り離し部１３を着脱可能な連結手段として、面ファスナー１４、１５が設けられている。図１（ａ）と図１（ｂ）とは、シート本体の形状以外は基本的に同様の構成である。
【００１７】
図１（ｂ）における切り離し部１３は、開口部１２からシート本体１１ｂの１つの角部に至るように形成され、面ファスナー１４を手前にしたとき、対向する１組の角部が作業者の胸と背中に被さり、もう１組の角部が両肩にかかるようにされている。
【００１８】
シート本体１１ａ（１１ｂ）は帯電性不織布からなる。帯電性不織布とは、ポリオレフィン等からなる不織布を高電圧等によって処理して帯電させた不織布である。これによって、不織布の一本一本の繊維が常に電気分極を保持し周囲に電界を形成し、落下する毛髪等を捕捉することができる。また、電気分極は長期間保持されるので、保持した毛髪等が再度落下することも防止される。
【００１９】
不織布の材料としては、特に限定されないが、ポリプロピレン、ポリエチレン、ポリメチルペンテンなどのポリオレフィン系繊維、ポリスチレン系繊維、ポリエステル系繊維、ポリアミド系繊維などの熱可塑性繊維からなるものが好ましく、なかでも、帯電性の点からはポリオレフィン系繊維が好ましい。これらの繊維は単独で用いてもよく、２種類以上の繊維を混繊して用いてもよく、芯鞘構造や海島構造等の複合繊維を用いてもよい。芯鞘構造の複合繊維を用いた帯電性繊維としては、例えば上記の特開平５−１７９５１１号公報に記載の繊維が使用できる。
【００２０】
また、不織布の種類も特に限定されず、例えば、メルトブロー法、スパンボンド法、ニードルパンチ法等の、従来公知の製法による不織布を用いることができる。
【００２１】
不織布の帯電は、コロナ放電処理や高圧電場を通すことなどによりエレクトレット化処理したものを使用できる。エレクトレット化の処理条件は特に限定されず適宜選択可能である。
【００２２】
上記のような帯電性不織布としては市販されているものを利用でき、このような市販品としては、例えば、「トレミクロン」（商品名：東レ株式会社製）、「マイクロウェッブ」（旭化成株式会社製）等を用いることができる。
【００２３】
シート本体の形状は特に限定されず、図１（ａ）に示すような円形でもよく、図１（ｂ）に示すような四角形であってもよい。ただし、作業者の頭部の下方を広く覆うようにするため、円形又は正方形が最も好ましい。
【００２４】
また、シート本体１１ａ（１１ｂ）の大きさは特に限定されないが、作業者が装着した際に、作業者の両肩及び胸部まで覆う程度の大きさであることが好ましい。具体的には、図１（ａ）における外径Ｗ１、図１（ｂ）における外径Ｗ３が３０〜８０ｃｍであることが好ましい。
【００２５】
シート本体１１ａ（１１ｂ）の中央部には、作業者の頭部を挿入するための開口部１２が形成されている。開口部１２の外径Ｗ２としては１０〜３０ｃｍであることが好ましい。
【００２６】
更に、この実施形態においては、開口部１２からシート本体１１ａ（１１ｂ）の周縁に至る切り離し部１３が形成されており、シート本体１１ａ上の切り離し部１３で切り離されたシート端縁部１２ａ、１２ｂのそれぞれには面ファスナー１４、１５が設けられている。
【００２７】
このように切り離し部１３を形成して連結手段となる面ファスナー１４、１５を設けることにより、毛髪落下防止用シート１０ａ（１０ｂ）の着脱を更に容易に行うことができる。面ファスナー１４、１５としては従来公知のものが使用でき特に限定されない。
【００２８】
なお、本発明における切り離し部１３を連結する連結手段としては、面ファスナーに限定されるものではなく、粘着テープ、フック、紐等であってもよい。
【００２９】
図２には、上記の図１（ｂ）の毛髪落下防止用シート１０ｂの使用状態の一例が示されている。
【００３０】
図２に示すように、この毛髪落下防止用シート１０ｂは、例えば、食品工場等における製造ライン３０において作業者２０に装着され、面ファスナー１４、１５を手前にしたとき、対向する１組の角部が作業者の胸と背中に被さり、もう１組の角部が両肩にかかるように装着される。そして、シート本体１１ｂが帯電性不織布であるので、不織布の繊維が電気分極を保持して周囲に電界を形成しており、これによって落下する毛髪等を捕捉することができる。すなわち、作業者の頭部から毛髪等の異物が落下した際には、シート本体１１ｂの帯電効果によって毛髪等は捕捉されてシート本体１１ｂの表面に付着して再落下を防止する。したがって、直下にある弁当や惣菜等の製品３１への毛髪等の混入を防止することができる。
【００３１】
なお、上記の毛髪落下防止用シート１０ｂにおいて捕捉可能な異物対象は、毛髪には限定されず、作業者より生じるフケ、塵、埃等の他、シート本体１１ｂ付近の空間に存在する塵や埃も捕捉できる。また、毛髪落下防止用シート１０ｂは帽子等と併用して用いてもよく、白衣等の上に装着してもよい。
【００３２】
図３には、本発明の毛髪落下防止用シートの他の実施形態が示されている。なお、以下の実施形態の説明においては、上記の図１の実施形態と同一部分には同符合を付して、その説明を省略することにする。
【００３３】
図２（ａ）、（ｂ）に示すように、この実施形態においては、切り離し部１３が形成されておらず、シート本体１１ａ’、１１ｂ’が周状に連結されている点が図１の実施形態と異なっている。このように、本発明においては、切り離し部１３は形成されていなくてもよい。
【００３４】
なお、この場合には、着脱時に開口部１２が作業者の頭部を通過する必要があるため、開口部１２の直径は、上記の図１における実施形態よりも大きくすることが好ましく、具体的には、図３における外径Ｗ４が、２０〜３０ｃｍであることが好ましい。
【産業上の利用可能性】
【００３５】
本発明は、食品工場等における作業者からの毛髪等の落下を防止するためのシートとして好適に用いられる。
【図面の簡単な説明】
【００３６】
【図１】本発明の毛髪落下防止用シートの一実施形態を示す概略図である。
【図２】本発明の毛髪落下防止用シートの使用状態を示す図である。
【図３】本発明の毛髪落下防止用シートの他の実施形態を示す概略図である。
【符号の説明】
【００３７】
１０ａ、１０ｂ、１０ａ’、１０ｂ’：毛髪落下防止用シート
１１ａ、１１ｂ、１１ａ’、１１ｂ’：シート本体
１２：開口部
１２ａ、１２ｂ：シート端縁部
１３：切り離し部
１４、１５：面ファスナー
２０：作業者
３０：製造ライン
３１：製品
Ｗ１、Ｗ２、Ｗ３、Ｗ４：外径
【図１】
2005082946.tif 000003
【図２】
2005082946.tif 000004
【図３】
2005082946.tif 000005